(57)【特許請求の範囲】
【請求項１】
光素子を収容する第１のコネクタハウジングの一端側に、前記光素子に光結合される光ファイバの接続端面側を挿入する第２のコネクタハウジングが設けられており、前記第１のコネクタハウジングは導電性樹脂により形成され、前記第２のコネクタハウジングは非導電性樹脂により形成されており、前記第２のコネクタハウジングには電気端子が設けられ、前記第１のコネクタハウジングに収容された光素子を固定する金属ケースが前記第１のコネクタハウジングに取り付けられており、該金属ケースは前記光素子を収容している部位の前記第１のコネクタハウジングの外側を覆って当該第１のコネクタハウジングに取り付けられており、前記第１のコネクタハウジングにおける金属ケースの取り付け部位には溝が形成されており、前記金属ケースには前記溝に挿入する壁を有し、該壁の表面には突起が形成されており、前記金属ケースの前記壁が前記第１のコネクタハウジングの前記溝に挿入されて前記壁の表面に形成されている突起が前記第１のコネクタハウジングの前記溝の壁面に食い込んで前記ケースが前記第１のコネクタハウジングに取り付けられていることを特徴とする光・電気複合コネクタ。
【請求項２】
光素子を収容する第１のコネクタハウジングの一端側に、前記光素子に光結合される光ファイバの接続端面側を挿入する第２のコネクタハウジングが設けられており、前記第１のコネクタハウジングは導電性樹脂により形成され、前記第２のコネクタハウジングは非導電性樹脂により形成されており、前記第２のコネクタハウジングには電気端子が設けられ、前記第１のコネクタハウジングに収容された光素子を固定する金属ケースが前記第１のコネクタハウジングに取り付けられており、該金属ケースは前記光素子を収容している部位の前記第１のコネクタハウジングの外側を覆って当該第１のコネクタハウジングに取り付けられており、前記第１のコネクタハウジングと第２のコネクタハウジングは着脱自在と成していることを特徴とする光・電気複合コネクタ。
【請求項３】
第１のコネクタハウジングと第２のコネクタハウジングは着脱自在と成していることを特徴とする請求項１記載の光・電気複合コネクタ。
【請求項４】
金属ケースの光素子固定側の面には光素子を第２のコネクタハウジング側に付勢するばね機構が設けられていることを特徴とする請求項１乃至請求項３のいずれか１つに記載の光・電気複合コネクタ。
【請求項５】
金属ケースの光素子固定側の面にＵ字形状のスリットが設けられ、このスリットによって囲まれた金属ケースの板面部位に、固定対象の光素子側に突出する凸部が形成されてばね機構が構成されていることを特徴とする請求項４記載の光・電気複合コネクタ。
【発明の詳細な説明】
【０００１】
【発明の属する技術分野】
本発明は、例えば、車両に塔載設置されて車両内の光通信に使用される光・電気複合コネクタに関するものである。
【０００２】
【従来の技術】
最近においては、車両の情報化が飛躍的に進展し、例えば、カーナビゲーションシステムを用いて車両位置を地図上に表示したり、あるいはＩＴＳ（高度道路交通システム）を利用して車両の渋滞解消等の管理が行われている。このような情報化に伴い、車両内でのデータ、画像、音声等の通信情報の処理量が増大している。
【０００３】
そこで、この大容量の情報伝達媒体として光ファイバを用いた光通信が、自動車等の車両内において行われるようになってきている。上記光通信は、発光素子から発せられる光を光ファイバの一端側に入射させて光ファイバを伝搬させ、この伝搬光を光ファイバの他端側に設けた受光素子により受光することにより行われるものであり、光ファイバを上記発光素子や受光素子等の光素子と接続するときは、一般に光コネクタが用いられる。
【０００４】
また、プラスチック光ファイバは、ガラス光ファイバに比べて大口径で取り扱いが容易であるため、上記車両内の通信用として、プラスチック光ファイバを適用することが多くなっている。
【０００５】
【発明が解決しようとする課題】
ところで、上記光通信を行なう車両用の機器には、例えば電源用の電気コネクタや、低速の情報伝送に適用される電気通信用の電気コネクタが取り付けられており、これらの電気コネクタと上記光コネクタとを嵌合する作業が必要となる。そこで、この作業を省略するために、光コネクタと電気コネクタの両方の機能を備えた光・電気コネクタの適用が考えられるが、これまでは、適切な光・電気複合コネクタが提案されていなかった。
【０００６】
すなわち、車両内には様々な機器から発生される電磁波が多く存在するので、上記光素子がこれらの電磁波によるノイズの影響を受けるのを防止するために、上記光・電気複合コネクタには光素子を遮蔽する構成が必要となるが、そのために、光・電気複合コネクタを金属等の導電体により形成すると、電気端子が電気的に接続してしまう。そうなると、コネクタとしての機能を果たすことができなくなる。
【０００７】
また、非導電性の樹脂でコネクタを形成し、さらにこのコネクタを金属のケースで囲むような態様をとった場合、上記光素子と光ファイバの接続部に穴が空いてしまい、遮蔽が十分にできなくなるため、遮蔽を十分にするためには金属ケースを光ファイバ接続部側に長くする等が必要となり、光・電気複合コネクタの大型化を招くことになった。
【０００８】
本発明は、上記課題を解決するために成されたものであり、光素子の光接続と電気端子を用いての電気的接続の両方を行なうことができ、しかも、光素子をノイズから遮蔽することができる小型の光・電気複合コネクタを提供することにある。
【０００９】
【課題を解決するための手段】
本発明は上記目的を達成するため、次のような構成をもって、課題を解決する手段としている。すなわち、第１の発明は、光素子を収容する第１のコネクタハウジングの一端側に、前記光素子に光結合される光ファイバの接続端面側を挿入する第２のコネクタハウジングが設けられており、前記第１のコネクタハウジングは導電性樹脂により形成され、前記第２のコネクタハウジングは非導電性樹脂により形成されており、前記第２のコネクタハウジングには電気端子が設けられ、前記第１のコネクタハウジングに収容された光素子を固定する金属ケースが前記第１のコネクタハウジングに取り付けられており、該金属ケースは前記光素子を収容している部位の前記第１のコネクタハウジングの外側を覆って当該第１のコネクタハウジングに取り付けられており、前記第１のコネクタハウジングにおける金属ケースの取り付け部位には溝が形成されており、前記金属ケースには前記溝に挿入する壁を有し、該壁の表面には突起が形成されており、前記金属ケースの前記壁が前記第１のコネクタハウジングの前記溝に挿入されて前記壁の表面に形成されている突起が前記第１のコネクタハウジングの前記溝の壁面に食い込んで前記ケースが前記第１のコネクタハウジングに取り付けられている構成をもって課題を解決する手段としている。
【００１０】
また、第２の発明は、光素子を収容する第１のコネクタハウジングの一端側に、前記光素子に光結合される光ファイバの接続端面側を挿入する第２のコネクタハウジングが設けられており、前記第１のコネクタハウジングは導電性樹脂により形成され、前記第２のコネクタハウジングは非導電性樹脂により形成されており、前記第２のコネクタハウジングには電気端子が設けられ、前記第１のコネクタハウジングに収容された光素子を固定する金属ケースが前記第１のコネクタハウジングに取り付けられており、該金属ケースは前記光素子を収容している部位の前記第１のコネクタハウジングの外側を覆って当該第１のコネクタハウジングに取り付けられており、前記第１のコネクタハウジングと第２のコネクタハウジングは着脱自在と成している構成をもって課題を解決する手段としている。
【００１１】
さらに、第３の発明は、上記第１の発明の構成に加え、前記第１のコネクタハウジングと第２のコネクタハウジングは着脱自在と成している構成をもって課題を解決する手段としている。
【００１２】
さらに、第４の発明は、上記第１又は第２又は第３の発明の構成に加え、前記金属ケースの光素子固定側の面には光素子を第２のコネクタハウジング側に付勢するばね機構が設けられている構成をもって課題を解決する手段としている。
【００１３】
さらに、第５の発明は、上記第４の発明の構成に加え、前記金属ケースの光素子固定側の面にＵ字形状のスリットが設けられ、このスリットによって囲まれた金属ケースの板面部位に、固定対象の光素子側に突出する凸部が形成されてばね機構が構成されていることをもって課題を解決する手段としている。
【００１４】
上記構成の本発明において、光素子を収容する第１のコネクタハウジングは導電性樹脂により形成されているので、光素子を電気的に遮蔽して電磁波によるノイズの影響を受けるのを防止することができる。また、電気端子が設けられた第２のコネクタハウジングは非導電性樹脂により形成されているので、電気端子が電気的に第２のコネクタハウジングに接続されることはなく、例えば第２のコネクタハウジングに導線を挿入し、この導線を前記電気端子を用いて電気回路等に電気的に接続することができる。
【００１５】
なお、本発明において、第２のコネクタハウジングは、第１のコネクタハウジングの一端側に設け、光素子に光結合される光ファイバの接続端面側を第２のコネクタハウジングに挿入する構成としているので、前記光素子と前記光ファイバとの光接続を非常に容易に行なうことが可能となる。
【００１６】
【発明の実施の形態】
以下、本発明の実施形態例を図面に基づき説明する。図１には、本発明に係る光・電気複合コネクタの一実施形態例の斜視図が、接続相手側の光部品と共に示されている。なお、図１において、本実施形態例の光・電気複合コネクタ１と接続相手側の光部品としてのプラグコネクタ２とは間隔を介して対向配置されている。また、図２には本実施形態例の光・電気複合コネクタ１の断面図が示されており、図３には本実施形態例の光・電気複合コネクタ１の分解構成図が示されている。
【００１７】
これらの図１から図３に示すように、本実施形態例の光・電気複合コネクタ１は、光素子を収容する第１のコネクタハウジング３と、電気端子５（図３参照）が設けられた第２のコネクタハウジング４とを有しており、第１のコネクタハウジング３は導電性樹脂であるカーボンフィラー入りＰＢＴ（ポリブチレンテレフタレート）により形成され、第２のコネクタハウジング４は非導電性樹脂であるガラスフィラー入りＰＢＴにより形成されている。
【００１８】
上記第２のコネクタハウジング４は第１のコネクタハウジング３の一端側に設けられており、第１のコネクタハウジング３と第２のコネクタハウジング４は着脱自在と成している。第２のコネクタハウジング４は、前端を開口５０とした箱状のプラグコネクタ嵌合部３１を有し、前記開口５０の反対側に第１のコネクタハウジング３との接続部３０を形成している。
【００１９】
一方、第１のコネクタハウジング３は、第２のコネクタハウジング４との接続部３３と光素子の収容部３２を有しており、前記接続部３３によって前記第２のコネクタハウジング４の接続部３０を覆う態様で嵌合が行われる。
【００２０】
図２、図３に示すように、接続部３３には、上下１対の爪嵌合穴２３が形成されており、これらの爪嵌合穴２３に、第２のコネクタハウジング４の接続部３０に設けられた上下１対の爪部２４がそれぞれ嵌合することにより第１のコネクタハウジング３と第２のコネクタハウジング４が固定される。また、上記爪部２４が上記爪嵌合穴２３から外れることにより、第１のコネクタハウジング３と第２のコネクタハウジング４との接続が解除される。
【００２１】
本実施形態例において、上記光素子は発光素子１０と受光素子１１であり、発光素子１０と受光素子１１は並設され、前記第１のコネクタハウジング３の収容部３２に収容されている。
【００２２】
発光素子１０は発光ダイオードであり、その発光面を第２のコネクタハウジング側に向けて配置されている。受光素子１１はその受光面を第２のコネクタハウジング側に向けて配置されている。なお、図中、２０，２１はこれらの発光素子１０、受光素子１１の端子部を示す。
【００２３】
また、本実施形態例では、第１のコネクタハウジング３に収容された光素子（発光素子１０と受光素子１１）を固定する金属ケース６が前記第１のコネクタハウジング３の収容部３２を覆う態様で設けられており、金属ケース６には接地用の端子部４０が形成されている。
【００２４】
金属ケース６は例えば黄銅の金属板を折り曲げ加工して形成されており、図３および図４の（ｂ）に示すように、金属ケース６の壁３９の表面には複数の突起部１６が設けられている。図３に示すように、金属ケース６は第１のコネクタハウジング３の上側から第１のコネクタハウジング３に取り付けられ、壁３９を第１のコネクタハウジング３の溝３７に挿入する。そうすると、前記突起部１６が第１のコネクタハウジング３に食い込んで、金属ケース６が第１のコネクタハウジング３に導通する構成と成している。金属ケース６の表面には主に腐食防止用として、錫、ニッケル、金、はんだ等のメッキが施されている。
【００２５】
金属ケース６の光素子固定側の面１７には発光素子１０と受光素子１１をそれぞれ第２のコネクタハウジング４側に付勢するばね機構が設けられている。このばね機構は、本実施形態例においては、光素子固定側の面１７にＵ字形状のスリット１８を入れ、発光素子１０と受光素子１１に当接する面側に突出する凸部１９を形成したものである。ばね機構は、上記付勢力によって、発光素子１０や受光素子１１と第１のコネクタハウジング３の収容部３２とのサイズの誤差を吸収し、収容部３２に発光素子１０及び受光素子１１を精度良く固定する機能を有している。
【００２６】
図１に示すように、本実施形態例の光・電気複合コネクタの接続相手側の光部品であるプラグコネクタ２には、発光素子１０に光接続される第１の光ファイバ１２と受光素子１１に光接続される第２の光ファイバ１３とが並設され、その接続端面側がそれぞれフェルール（図示せず）に固定されている。これらの光ファイバ１２，１３はプラスチック光ファイバである。プラグコネクタ２を第２のコネクタハウジング４に挿入嵌合すると、これら第１と第２の光ファイバ１２，１３が第２のコネクタハウジング４に挿入される。
【００２７】
なお、プラグコネクタ２には、その上面側にロックアーム２５が設けられ、この先端側に設けられた係止爪７が光・電気複合コネクタ１の爪係止部８に係止することによりプラグコネクタ２が光・電気複合コネクタ１に固定され、上記係止爪７が爪係止部８から外れると、プラグコネクタ２と光・電気複合コネクタ１との接続が解除される構成と成している。
【００２８】
図５に示すように、第２のコネクタハウジング４の前記接続部３０には１対の貫通の穴部３５，３６が設けられており、これらの穴部３５，３６はそれぞれ発光素子１０、受光素子１１に対向している。発光素子１０側の穴部３５には２つのレンズ２６と、これらのレンズ２６に挟まれた筒４５とが設けられ、受光素子１１側の穴部３６には光接続媒介光ファイバ２７が設けられている。
【００２９】
発光素子１０は第１の光ファイバ１２の開口数より大きな放射開口数を有しており、レンズ２６はこの光を第１の光ファイバ１２の開口数よりも小さな入射開口数となるように集光して第１の光ファイバ１２に入射する機能を有している。
【００３０】
図２に示すように、第２のコネクタハウジング４の前記プラグコネクタ嵌合部３１内には、筒状のスリーブ４８が前記開口５０に向けて突き出し状に並設されている。なお、同図では１本のスリーブ４８のみ示されているが、スリーブ４８は図５の（ｂ）に示すように１対並設されており、プラグコネクタ２のフェルールを導く構成と成している。
【００３１】
前記プラグコネクタ２には４本の導線２８が挿入固定されており、プラグコネクタ２を第２のコネクタハウジング４に挿入嵌合すると、これらの導線２８が前記電気端子５に接続される。
【００３２】
本実施形態例は以上のように構成されており、本実施形態例の光・電気複合コネクタを製造するときは、図３に示すように、それぞれ別個に形成した第１のコネクタハウジング３と第２のコネクタハウジング４と、金属ケース６を用意し、さらに、電気端子５、レンズ２６、筒４５、光接続媒介光ファイバ２７、発光素子１０、受光素子１１を用意する。
【００３３】
そして、同図に示すように、電気端子５を第２のコネクタハウジング４に取り付け、レンズ２６と筒４５と光接続媒介光ファイバ２７を第２のコネクタハウジング４に挿入固定する。また、発光素子１０と受光素子１１は第１のコネクタハウジング３に挿入し、その状態で、金属ケース６を第１のコネクタハウジング３に挿入して発光素子１０と受光素子１１を第１のコネクタハウジング３に固定する。そして、この第１のコネクタハウジング３を第２のコネクタハウジング４に挿入固定する。
【００３４】
また、図１に示すように、本実施形態例の光・電気複合コネクタ１のプラグコネクタ嵌合部３１にプラグコネクタ２を挿入すると、プラグコネクタ２に固定されている第１の光ファイバ１２が、光・電気複合コネクタ１に固定されているレンズ２６を介して発光素子１０に光接続し、プラグコネクタ２に固定されている第２の光ファイバ１３が、光・電気複合コネクタ１に固定されている光接続媒介光ファイバ２７を介して受光素子１１に光接続する。
【００３５】
また、上記プラグコネクタ２の光・電気複合コネクタ１への挿入により、プラグコネクタ２に固定されている導線２８が光・電気複合コネクタ１に設けられている電気端子５に電気的に接続する。
【００３６】
以上のように、本実施形態例の光・電気複合コネクタ１は光素子（発光素子１０と受光素子１１）の光接続と、電気端子５を用いての電気的接続とを非常に容易に、かつ、正確に行なうことができる。
【００３７】
また、本実施形態例の光・電気複合コネクタ１において、発光素子１０と受光素子１１を収容する第１のコネクタハウジング３は導電性樹脂により形成されているので、発光素子１０と受光素子１１を電気的に遮蔽して電磁波によるノイズの影響を受けるのを防止することができる。
【００３８】
特に、本実施形態例では、金属ケース６を設けて第１のコネクタハウジング３を覆っており、このように、導電性樹脂製の第１のコネクタハウジング３と金属ケース６の両方で光素子を遮蔽すると、導電性樹脂製のハウジング単体で光素子を遮蔽したり、金属ケース単体で光素子を遮蔽するよりも遮蔽効果を高くすることができる。なお、このように、導電性樹脂製のハウジングと金属ケースの両方で光素子を遮蔽すると遮蔽効果が高いことは、本発明者が実験により明らかにしている。
【００３９】
さらに、本実施形態例の光・電気複合コネクタ１において、金属ケース６の突起部１６を第１のコネクタハウジング３に食い込ませることにより、金属ケース６を第１のコネクタハウジング３に導通させる構成と成しているので、導電性樹脂の導通と発光素子１０及び受光素子１１の固定を１アクションで容易に行なうことができる。
【００４０】
さらに、本実施形態例の光・電気複合コネクタ１において、電気端子５が設けられた第２のコネクタハウジング４は非導電性樹脂により形成されているので、電気端子４が電気的に第２のコネクタハウジング４に接続されることはなく、プラグコネクタ２に挿入固定されている導線２８を第２のコネクタハウジング４に挿入し、この導線２８を電気回路等に電気的に接続することができる。
【００４１】
さらに、本実施形態例の光・電気複合コネクタ１は、第１のコネクタハウジング３と第２のコネクタハウジング４とを着脱自在に設けているので、例えば接続相手側のプラグコネクタ２の銅線２８の本数に対応させて、電気端子５の本数が互いに異なる第２のコネクタハウジング４を用意しておき、必要に応じて第２のコネクタハウジング４側を付け替えることもできる。
【００４２】
また、本実施形態例の光・電気複合コネクタ１は、上記のように第１のコネクタハウジング３と第２のコネクタハウジング４とを着脱自在としているために、電気端子５を第２のコネクタハウジング４に取り付ける作業も容易であり、光・電気複合コネクタ１の製造も容易にできる。
【００４３】
さらに、本実施形態例の光・電気複合コネクタ１において、金属ケース６の光素子固定側の面１７には発光素子１０と受光素子１１をそれぞれ第２のコネクタハウジング４側に付勢するばね機構が設けられており、たとえ発光素子１０や受光素子１１と第１のコネクタハウジング３の収容部３２とのサイズの誤差が生じていても、ばね機構を設けることによりその誤差を吸収し、収容部３２に発光素子１０及び受光素子１１を精度良く固定することができる。
【００４４】
したがって、本実施形態例の光・電気複合コネクタ１は、発光素子１０や受光素子１１と第１のコネクタハウジング３の寸法を非常に高精度に形成する必要が無く、より一層安価な光・電気複合コネクタ１とすることができる。
【００４５】
さらに、上記ばね機構は、金属ケース６の光素子固定側の面１７にＵ字形状のスリット１８を入れ、発光素子１０と受光素子１１に当接する面側に突出する凸部１９を形成したものであり、コイルばね等の弾性体を金属ケース６と別個に設けたものではないため、部品点数が多くなることもなく、また、発光素子１０及び受光素子１１の固定を非常に容易に行なうことができる。
【００４６】
さらに、本実施形態例は、発光素子１０と受光素子１１を並設して成る光・電気複合コネクタであるため、プラグコネクタ２を本実施形態例の光・電気複合コネクタ１に嵌合することにより、発光素子１０、受光素子１１に光ファイバ１２，１３を一括的に光接続することができ、コネクタ部品点数の削減とコネクタ接続作業性の改善を共に図ることができる。
【００４７】
なお、本発明は上記実施形態例に限定されることはなく、様々な実施の態様を採り得る。例えば上記実施形態例では、第２のコネクタハウジング４側に４本の電気端子５を設けたが、電気端子５の配設数は特に限定されるものでなく適宜設定されるものであり、例えば８本、１２本、２４本等、接続相手側のプラグコネクタ２等に設けられる導線２８の数に対応させることができる。
【００４８】
また、上記実施形態例では、金属ケース６のばね機構として、光素子固定側の面１７にＵ字形状のスリット１８を設けたが、Ｕ字以外の形状のスリットを形成してもよく、例えばコの字型やＣ字型のスリットを形成してもよい。また、スリットを形成するだけでなく、光素子固定側の面１７の少なくとも一部を発光素子１０や受光素子１１等の光素子側にたおれ込むようにしてもよい。
【００４９】
さらに、上記実施形態例では、金属ケース６に複数の突起部１６を設けたが、突起部１６の配設数や形成態様は特に限定されるものでなく適宜設定されるものであり、また、突起部１６は省略することもできる。ただし、突起部１６を設けることにより、金属ケース６を第１のコネクタハウジング３に取り付けたときに、第１のコネクタハウジング３の導通を１アクションで確実に行なうことができる。
【００５０】
さらに、上記実施形態例では、金属ケース６を黄銅により形成したが、金属ケース６は例えばステンレスにより形成してもよい。
【００５１】
さらに、上記実施形態例では、第１のコネクタハウジング３をカーボンフィラー入りＰＢＴにより形成し、第２のコネクタハウジング４をガラスフィラー入りＰＢＴにより形成したが、第１、第２のコネクタハウジング３，４の形成材料は特に限定されるものでなく適宜設定されるものであり、第１のコネクタハウジング３は導電性樹脂により形成し、第２のコネクタハウジング４は非導電性樹脂により形成すればよい。
【００５２】
また、第１、第２のコネクタハウジング３，４の形状や配置位置は特に限定されるものでなく適宜設定されるものである。
【００５３】
さらに、上記実施形態例では、第１のコネクタハウジング３と第２のコネクタハウジング４を着脱自在にしたが、第１のコネクタハウジング３と第２のコネクタハウジング４は必ずしも着脱自在にするとは限らず、例えば一体成形により第１と第２のコネクタハウジング３，４の連結体を形成してもよい。ただし、上記実施形態例のように第１のコネクタハウジング３と第２のコネクタハウジング４を別々に形成して着脱自在とすると、光・電気複合コネクタ１の製造を容易にできる。
【００５４】
さらに、上記実施形態例では、発光素子１０と受光素子１１を１組並設収容したが、本発明の光・電気複合コネクタは、発光素子１０のみを収容してもよいし、受光素子１１のみを収容してもよいし、発光素子１０や受光素子１１の配設数は１つでも複数でもよい。
【００５５】
さらに、上記例では、本発明の光・電気複合コネクタを、車両内の光通信に使用する用途で説明したが、本発明の光・電気複合コネクタはそれ以外に、ＦＡ、家庭内ＬＡＮ、オーディオ、ＰＣ等の、様々な光通信の用途に適用することが可能である。
【００５６】
また、上記例では、光・電気複合コネクタに挿入する光ファイバはプラスチック光ファイバとしたが、ガラス光ファイバを用いてもよく、光ファイバの種類は問わない。
【００５７】
【発明の効果】
本発明によれば、光素子を収容する第１のコネクタハウジングは導電性樹脂により形成されているので、光素子を電気的に遮蔽して電磁波によるノイズの影響を受けるのを防止することができる。また、電気端子が設けられた第２のコネクタハウジングは非導電性樹脂により形成されているので、電気端子が電気的に第２のコネクタハウジングに接続されることはなく、例えば第２のコネクタハウジングに導線を挿入し、この導線を前記電気端子を用いて電気回路等に電気的に接続することができる。
【００５８】
また、本発明において、第２のコネクタハウジングを第１のコネクタハウジングの一端側に設けた構成としているので、光素子に光結合される光ファイバの接続端面側を第２のコネクタハウジングに挿入する構成とすることにより、前記光素子と前記光ファイバとの光接続を非常に容易に行なうことができる。
【００５９】
さらに、本発明において、第１のコネクタハウジングと第２のコネクタハウジングは着脱自在と成した構成によれば、例えば電気端子の配設数が互いに異なる第２のコネクタハウジングを用意しておき、第１のコネクタハウジングを必要に応じて対応する第２のコネクタハウジングと接続する等、接続相手側に対応させて様々な光・電気複合コネクタを形成することができるし、その製造も容易にできる。
【００６０】
さらに、本発明において、第１のコネクタハウジングに収容された光素子を固定する金属ケースが前記第１のコネクタハウジングに取り付けられている構成としたので、光素子の遮蔽効果をより一層高めることができ、また、光素子の固定もより一層的確に行なうことができる。
【００６１】
さらに、本発明において、金属ケースの光素子固定側の面には光素子を第２のコネクタハウジング側に付勢するばね機構が設けられている構成においては、光素子と第１のコネクタハウジングとの寸法誤差等が生じている場合でも、その後差を吸収して的確に光素子の固定を行なうことができる。したがって、光素子と第１のコネクタハウジングの寸法を非常に高精度に形成する必要が無く、より一層安価な光・電気複合コネクタとすることができる。
【図面の簡単な説明】
【図１】本発明に係る光・電気複合コネクタの一実施形態例を接続相手側と共に示す斜視図である。
【図２】上記実施形態例の光・電気複合コネクタの断面図である。
【図３】上記実施形態例の光・電気複合コネクタの構成を分解状態で示す説明図である。
【図４】上記実施形態例に設けられている金属ケースの説明図である。
【図５】上記実施形態例に設けられている第２のコネクタハウジングの正面図（ａ）と背面図（ｂ）である。
【符号の説明】
１  光・電気複合コネクタ
２  プラグコネクタ
３  第１のコネクタハウジング
４  第２のコネクタハウジング
５  電気端子
６  金属ケース
１０  発光素子
１１  受光素子
１２  第１の光ファイバ
１３  第２の光ファイバ
【図１】
0004550268.tif 000002
【図２】
0004550268.tif 000003
【図３】
0004550268.tif 000004
【図４】
0004550268.tif 000005
【図５】
0004550268.tif 000006